(57)【要約】【課題】揚送装置の揚送動作の駆動力を増加させることなく、又、遊技球を１個ずつ分離して揚送装置へ供給する揚送球供給装置を必要とせず、確実に１球ずつ、揚送装置内の揚送経路に遊技球を取り込むことができる。【解決手段】揚送呼込み経路３３は、遊技球５０を揚送呼込み部２８に導く経路である。第１揚送経路３４は、該揚送呼込み経路３３に対して、９０°若しくはそれ以上の角度をもって形成される。従って、遊技球５０を揚送する際には、矢印Ａ３の方向に上昇するので、後続球５１、５２……を押しのけることがなく、後続球５１、５２……の球圧の影響がない。【選択図】図８
2009022664.tif 000002
【特許請求の範囲】
【請求項１】
パチンコ機や回胴遊技機の遊技球貯留部に貯留された遊技球を揚送する揚送装置において、
遊技球を遊技球停留部から揚送呼込み部へ導く揚送呼込み経路を設け、
揚送呼込み経路に対して９０°若しくはそれ以上の角度をもって形成される第１揚送経路を設けると共に、その後遊技球が鉛直方向に揚送される第２揚送経路を設けたことを特徴とする揚送装置。
【請求項２】
スクリュー下端部の螺旋開始部に揚送呼込み部を形成すると共に、螺旋開始部から揚送呼込み部の壁面までの螺旋外周部は円筒面とし、又スクリュー上端部の螺旋終了部に遊技球押出し部を形成したことを特徴とする請求項１に記載の揚送装置。
【請求項３】
請求項１又は２に記載の揚送装置を備えたことを特徴とする遊技機。
【発明の詳細な説明】
【技術分野】
【０００１】
本発明は、パチンコ機や遊技球を用いた回胴遊技機の遊技球貯留部に貯留された遊技球を揚送する揚送装置、及び遊技機に係り、特に、揚送装置の揚送動作の駆動力を増加させることなく、又、遊技球を１個ずつ分離して揚送装置へ供給する揚送球供給装置を必要とせず、確実に１球ずつ、揚送装置内の揚送経路に遊技球を取り込むことができる揚送装置、及びこれを備えた遊技機に関する。
【背景技術】
【０００２】
従来、パチンコ機や遊技球を用いた回胴遊技機の遊技球貯留部に貯留された遊技球を揚送する揚送装置として、特許文献１のように、スプロケットによって揚送管内に数珠繋ぎ状態で送り出して揚送するものや、特許文献２のように、スクリュー部材によって揚送するものがある。
【０００３】
ここで、このようにスプロケットやスクリュー部材を回転することで揚送する際、揚送する遊技球は、多数が縦列する状態で、その自重で傾斜誘導通路を転がせて揚送装置内に導く。このため、揚送しようとする遊技球を介して、後続する遊技球の球圧が、揚送する遊技球の取り込みや、揚送動作に対して悪影響を抑える場合がある。例えば、前述のスプロケットやスクリュー部材を駆動する駆動装置に負荷がかかって、揚送に支障をきたす恐れがあるばかりか、球噛み等が発生しやすくなり、遊技球がうまく揚送されない恐れがあった。
【０００４】
このため、特許文献３では、揚送装置において、揚送する遊技球を取込む部位に、水平平面上でＳ字形状に蛇行するＳ字形状の揚送球誘導通路や、該揚送球誘導通路内において後続遊技球の球圧を抑制して１個ずつ遊技球を送り出す、スプロケットを設けるようにしている。これによって、後続の遊技球からの球圧による影響を防ぐようにしている。
【０００５】
【特許文献１】特開昭５８-１６３３８８号公報
【特許文献２】特公２８０５４９９号公報
【特許文献３】特開２００４-２５５０５１号公報
【発明の開示】
【発明が解決しようとする課題】
【０００６】
しかしながら、上述の特許文献３の揚送球誘導通路内のスプロケットは、前述のように縦列し後続する遊技球によって加えられる球圧が、変動し又時には増大しても円滑に動作する必要がある。このようなスプロケットの機構は、構造が複雑になり、又スプロケットを回転する駆動力も大きくする必要があり、大きなコストアップになってしまうという問題点がある。
【０００７】
本発明は、前記従来の問題点を解決するべくなされたもので、揚送装置の揚送動作の駆動力を増加させることなく、又、遊技球を１個ずつ分離して揚送装置へ供給する揚送球供給装置を必要とせず、確実に１球ずつ、揚送装置内の揚送経路に遊技球を取り込むことができる揚送装置を提供することを課題とする。
【課題を解決するための手段】
【０００８】
本発明は、パチンコ機や遊技球を用いた回胴遊技機の遊技球貯留部に貯留された遊技球を揚送する揚送装置において、遊技球を遊技球停留部から揚送呼込み部へ導く揚送呼込み経路を設け、揚送呼込み経路に対して９０°若しくはそれ以上の角度をもって形成される第１揚送経路を設けると共に、その後遊技球が鉛直方向に揚送される第２揚送経路を設けたことにより、前記課題を解決したものである。
【０００９】
又、上記揚送装置において、スクリュー下端部の螺旋開始部に揚送呼込み部を形成すると共に、螺旋開始部から揚送呼込み部までの螺旋外周部は円筒面とし、又スクリュー上端部の螺旋終了部に遊技球押出し部を形成したことにより、前記課題を解決したものである。
【００１０】
本発明は、又、上記の揚送装置を備えた遊技機を提供するものである。
【発明の効果】
【００１１】
本発明によれば、遊技球を１個ずつ分離して揚送装置へ供給する揚送球供給装置を必要せず、確実に１球ずつ揚送経路内に遊技球を取り込むことができ、単純で又安価な構成とすることができる。又、揚送装置において、遊技球を揚送するスクリュー部材やスプロケット部材を回転する際の駆動負荷も抑えられるので、この駆動手段、例えばモータを小型で安価なものにすることも考えられ、設置スペースやコストの面で有利になる。
【発明を実施するための最良の形態】
【００１２】
以下、図を用いて本発明の実施の形態を詳細に説明する。
【００１３】
図１は、本発明が適用された実施形態の遊技機１００の正面図である。又、図２は、該遊技機１００の本体枠の裏面図である。
【００１４】
本実施形態は、遊技球を用いる遊技機として、パロットを一例としている。しかしながら、本願発明の揚送装置は、このような遊技機に限定されるものではない。まず、図１において、受け皿１１０は、遊技者が自由に遊技球を出し入れできるようになっている。該受け皿１１０に入れられた遊技球は、ベットボタン１１４を遊技者が押すことによって、球搬送装置によって遊技機１００内部に取込まれる。なお、受け皿１１０は、本発明の遊技球貯留部に相当する。
【００１５】
そして、スタートレバー１１６を操作すると、幾つかの絵柄がそれぞれ書き込まれたリール１１２ａ、１１２ｂ、１１２ｃが回転し、それぞれ絵柄が入れ替わっていく。又、これらリール１１２ａ、１１２ｂ、１１２ｃそれぞれに対応させて設けられている停止スイッチ１１８ａ、１１８ｂ、１１８ｃを押すと、該当のリール１１２ａ、１１２ｂ、１１２ｃの回転が停止し、その絵柄の入れ替わりが停止する。すべてのリール１１２ａ、１１２ｂ、１１２ｃが停止すると、これらリール１１２ａ、１１２ｂ、１１２ｃの絵柄の所定の組み合わせにより、受け皿１１０には賞球の遊技球が払い出される。なお、図２に示されるリール装置１４０は、前述のリール１１２ａ、１１２ｂ、１１２ｃを内蔵するものである。
【００１６】
ここで、図２に示されるように、上部の球タンク１３３には、いわゆる島設備から遊技球が供給されている。賞球装置１３５は、賞球経路１３４を経由して供給される、球タンク１３３に蓄えられている遊技球を、賞球として受け皿１１０に払い出し、遊技者に払い出す。
【００１７】
又、上述の球搬送装置は、遊技球供給経路１２２と、揚送装置１２５と、遊技球取込み経路１２７と、取込機構装置１３０とを有している。遊技球供給経路１２２において、揚送装置１２５側には、入口遊技球センサ１２３が設けられている。遊技球取込み経路１２７において、揚送装置１２５側には、取込経路遊技球センサ１２８が設けられている。
【００１８】
受け皿１１０に入れられている遊技球は、球供給経路１２２内を転がり、揚送装置１２５下端の搬入口に導かれる。この搬入口の直前に設けられる入口遊技球センサ１２３によって、揚送装置１２５が揚送する対象になる遊技球の有無が検出される。揚送装置１２５は、該搬入口から遊技球を順次取り込み、又揚送し、その上部の搬出口から遊技球取込み経路１２７へと該揚送の遊技球を繰り出す。
【００１９】
このような揚送及び繰り出しは、遊技球取込み経路１２７内に所定数の遊技球が満たされたことが、取込経路遊技球センサ１２８によって検知されるまで行なわれる。そして、遊技球取込み経路１２７内の遊技球は、前述のように、ベットボタン１１４の遊技者の操作に応じ、取込機構装置１３０によって遊技機１００内部に取込まれる。
【００２０】
図３は、本実施形態の遊技機１００に用いられる揚送装置１２５の外観を示す斜視図である。また、図４は該揚送装置１２５の分解構成図である。
【００２１】
これらの図において、揚送装置１２５は、Ｆカバー１、スクリュー２、Ｒカバー３、駆動モータ４、モーターカバー５を主体に構成される。
【００２２】
遊技球を揚送するスクリュー２は、Ｆカバー１及びＲカバー３による筐体構造内に収容され、これらＦカバー１及びＲカバー３に挟持されたベアリング９により、回動自在に支持されている。又、駆動モータ４は、Ｆカバー１、Ｒカバー３に跨るように固定されており、該駆動モータ４の駆動軸には駆動ギヤ８が設けられている。更に、中間ギヤ７は、Ｒカバー３に設けられたベアリング１０によって回動自在に支持されている。
【００２３】
駆動モータ４の駆動軸の回転は、駆動ギヤ８、中間ギヤ７を介して、スクリュー２と一体となって形成された従動ギヤ６へと伝えられ、これによってスクリュー２は回転する。
【００２４】
その他、Ｆカバー１には、パチンコ機若しくは遊技球を用いた回胴式遊技機本体に固定するための固定手段１３が設けてあり、Ｒカバー３には揚送装置１２５を制御する制御信号を中継する中継基板１１及び中継基板ケース１２を設けてある。又、揚送装置固定面には、いずれも、スクリューの清掃や球詰まりを解消するためのメンテナンス用長穴を少なくとも１つ以上設けてあるＦカバー１、及びＲカバー３がねじにより固定されている。又、Ｆカバー１、Ｒカバー３を挟み込むようにモーターカバー５が設けてある。
【００２５】
図５は、本実施形態の揚送装置１２５に用いるスクリュー２の側面図である。図６は、図５に示される状態から（１／４）回転させた、該スクリュー２の側面図である。
【００２６】
これらの図において、スクリュー２の中心軸２９は、該スクリュー２が揚送装置１２５に取り付けられ、又該揚送装置１２５が遊技機１００に取り付けられると垂直になる。そして、該中心軸２９の周囲には、１ピッチが遊技球の直径よりやや大となされた、螺旋部２１が形成されている。該螺旋部２１は、スクリュー２の下端の螺旋開始部２５から、同上端の遊技球押出し部２４まで形成されている。
【００２７】
まず、スクリュー２の下端部において、該螺旋部２１の始端部分には揚送呼込み部壁面２２が設けられている。該揚送呼込み部壁面２２は、遊技球の直径程度の高さの、螺旋部２１を略１ピッチに亘って設けられる壁面である。該揚送呼込み部壁面２２から上述の螺旋開始部２５までの、螺旋部２１による中心軸２９周囲の窪みの空間は、該揚送呼込み部壁面２２に接触する状態で遊技球を１つ取込むことができる大きさになっている。該窪み空間は、以下、揚送呼込み部２８と呼ぶ。更に、該揚送呼込み部壁面２２から該螺旋開始部２５までの、中心軸２９の外周において上記の窪み空間とは反対位置の部分は、中心が該中心軸２９と同一方向の円筒面の一部を備えた形状の、螺旋外周円筒面２３となっている。
【００２８】
次に、該スクリュー２の上端部において、該螺旋部２１の終端部分には、遊技球押出し部２４が設けられている。該遊技球押出し部２４は、遊技球の直径程度、乃至は若干小さい高さの、螺旋部２１を略１ピッチに亘って設けられる壁面である。該遊技球押出し部２４に至る螺旋部２１による窪みの空間には、該遊技球押出し部２４に接触する状態で遊技球が１つ取込むことができる大きさになっている。該窪み空間を、以下、螺旋最上端窪み空間と呼ぶ。
【００２９】
図７は、第１比較例の揚送装置１２５における、揚送する遊技球の呼込み部２２周辺の側面図である。図８は、本実施形態の揚送装置１２５における、揚送する遊技球の呼込み部２２周辺の側面図である。更に、図９は、第２比較例の揚送装置１２５における、揚送する遊技球の呼込み部２２周辺の側面図である。なお、図７〜図９は、概略図である。
【００３０】
図７に示すような第１比較例では、揚送呼込み経路３３を揚送呼込み部２８へと、その自重により転がってきた遊技球５０を、揚送呼込み部２８から揚送経路３５へと、図中の矢印Ａ１方向に鉛直に上昇する場合、遊技球５０と後続球５１とは、水平方向でδｄのオーバーラップが発生する。従って、遊技球５０が上昇するためには、該オーバーラップδｄ分だけ、図中の矢印Ａ２の方向に、後続球５１、５２……を押しのけなければ上昇することはできない。
【００３１】
後続球５１、５２……を押しのけるためには、後続球５１、５２……の重みの影響に応じ、該上昇のために、余分の負荷を要する。従って、スクリュー２の駆動モータ４に過負荷が発生し、遊技球の揚送に支障をきたす恐れがある。
【００３２】
このような比較例に対して、図８に示す本実施形態の場合は、後続球５１、５２……の重量による、図中の矢印Ａ５の方向の球圧に対して、矢印Ａ３のように、９０°若しくはそれ以上の角度を持って第１揚送経路３４を形成し、まずこのような角度で遊技球５０を上昇するようにしている。なお、該第１揚送経路３４の上方の揚送経路３５は、本実施形態では第２揚送経路３５とされる。
【００３３】
揚送呼込み部２８へと導くために、遊技球５０をその自重により転がせる、揚送呼込み経路３３の傾斜面に対して、本実施形態の第１揚送経路３４における遊技球５０の上昇方向は、９０°若しくはそれ以上の角度になっている。これに対して、前述の第１比較例の場合は、揚送呼込み経路３３の傾斜面に対して、９０°より小さい角度の上昇方向となる揚送経路３５に沿って、遊技球５０を上昇されるようにしている。
【００３４】
本実施形態では、このような９０°若しくはそれ以上の角度で、遊技球５０をまず上昇させているので、後続球５１、５２……の球圧に抗して、オーバーラップδｄが発生せず、後続球５１、５２……を押しのけるといったことがない。
【００３５】
後続球５１は先の遊技球５０が第１揚送経路３４に沿ってある程度上昇すると、スクリュー２の下端部の螺旋外周円筒面２３によって停留され、先の遊技球５０と切り離される。これにより遊技球は、確実に１個ずつ上昇される。
【００３６】
遊技球５０は、第１揚送経路３４を経て第２揚送経路３５にて鉛直方向へ上昇し、最終的には、スクリュー２の上端面の螺旋終了部に設けられた遊技球押出し部２４により、Ｆカバー１側面に設けられた遊技球排出口３６から、揚送装置１２５外へ排出される。
【００３７】
なお、図９のように、後続球５１、５２……の重量による球圧の方向に対して、９０°より、かなり大きな角度を持って第１揚送経路３４を形成している場合は、矢印Ａで示される、続球５１、５２……の重量による球圧は、遊技球５０に対して、押し上げるような矢印Ａ６の方向になるので、揚送装置１２５に対して、前述の第１比較例とは異なる負荷がかかるおそれがある。従って、該角度は、９０°以上であって、且つ、１００°程度未満であることが好ましい。
【００３８】
以下、図１０〜図３５を用いて、本実施形態の動作を具体的に説明する。
【００３９】
図１０〜図１２、図１３〜図１５、図１６〜図１８、図１９〜図２１、図２２〜図２４、図２５〜図２７、図２８〜図３０、図３１〜図３３は、それぞれ、第１段階〜第８段階の、揚送装置１２５底部の上面図、該底部の斜視図、該揚送装置１２５の正面から見た断面図である。
【００４０】
即ち、図１０、図１３、図１６、図１９、図２２、図２５、図２８、図３１は、該当段階の揚送装置１２５底部の上面図である。図１１、図１４、図１７、図２０、図２３、図２６、図２９、図３２は、該当段階の揚送装置１２５底部の斜視図である。図１２、図１５、図１８、図２１、図２４、図２７、図３０、図３３は、該当段階の揚送装置１２５底部の断面図である。
【００４１】
ここで、前述の図７〜図９と同様に、スクリュー２の旋回によって次に上昇させる遊技球を遊技球５０とし、該遊技球５０に続く後続球を順に、後続球５１、５２……とする。まず、パチンコ機若しくは遊技球を用いた回胴式遊技機の遊技球貯留部より流下してきた遊技球５０は、Ｆカバー１に形成された遊技球入り口３１を通り、遊技球停留部３２へと導かれる。
【００４２】
第１段階の図１０〜図１２では、遊技球５０は、螺旋外周円筒面２３に接している。この第１段階では、遊技球停留部３２において遊技球５０は、該螺旋外周円筒面２３及び遊技球停留部３２によって支持され停留される。
【００４３】
第２段階の図１３〜図１５では、第１段階から駆動モータ４の駆動力によってスクリュー２が旋回し、遊技球５０が、揚送呼込み部壁面２２の外側に接している状態になっている。
【００４４】
第３段階の図１６〜図１８では、第２段階から更にスクリュー２が旋回し、遊技球５０が、前述の揚送呼込み部２８に若干引き込まれている状態になっている。ここで、揚送呼込み経路３３は、遊技球停留部３２から揚送呼込み部２８へ連通する経路であり、Ｆカバー１正面に対して略４５°の角度でスクリュー２の軸心方向へ向かい、且つスクリュー２の下端部に向けて略３０°の下り傾斜を持って形成される。遊技球停留部３２に停留した遊技球５０は、直前の遊技球５０がなくなると、スクリュー２の回転に対してある回転角度まで螺旋外周円筒面２３上を転がり、そのまま停留状態を維持する。そしてスクリュー２が回転し、揚送呼込み部２８が揚送呼込み経路３３に達したときに、遊技球５０は揚送呼込み経路３３の傾斜面を経て該揚送呼込み部２８へと導かれる。
【００４５】
第４段階の図１９〜図２１では、第３段階から更にスクリュー２が旋回し、遊技球５０が揚送呼込み部２８に更に引き込まれているが、完全には引き込まれていない状態になっている。
【００４６】
第５段階の図２２〜図２４では、第４段階から更にスクリュー２が旋回し、遊技球５０が揚送呼込み部２８に引き込まれた後に、螺旋開始部２５に接触し、スクリュー２の旋回による上昇の直前になっている状態になっている。
【００４７】
この第５段階の後、更にスクリュー２が回転すると、揚送呼込み部２８の遊技球５０は、螺旋開始部２５から螺旋部２１へと乗り上げ上昇を開始する。上昇を開始すると、遊技球５０は、まず、第１揚送経路３４に沿った、垂直より略３０°傾いた方向に上昇する。そして、該第１揚送経路３４を上昇した後には、遊技球５０は、第２揚送経路３５に沿った垂直方向に上昇する。第１揚送経路３４は、図８により前述したように、揚送呼込み経路３３における略３０°の下り傾斜に対して、垂直となっている。従って、該第１揚送経路３４は、中心軸２９の軸方向に対しては、略３０°の傾きがある。
【００４８】
第６段階の図２５〜図２７は、第５段階から更にスクリュー２が旋回し、遊技球５０が、スクリュー２の旋回による上昇を既に開始している状態になっている。この第６段階では、後続球５１は、遊技球５０に接触している故に、スクリュー２には接触していない状態である。
【００４９】
第７段階の図２８〜図３０では、第６段階から更にスクリュー２が旋回し、遊技球５０が、スクリュー２の旋回によって更に上昇している状態になっている。この第７段階では、後続球５１は、遊技球５０に接触している故に、スクリュー２には接触していないが、第６段階に比べて後続球５１は更にスクリュー２に接近している状態である。
【００５０】
第８段階の図３１〜図３３では、第７段階から更にスクリュー２が旋回し、遊技球５０が、スクリュー２の旋回によって更に上昇している状態になっている。この第８段階では、後続球５１は、遊技球５０に接触しなくなっている。又、この第８段階の後続球５１は、前述の第３段階における遊技球５０と同じ程度、揚送呼込み部２８に若干引き込まれている。
【００５１】
図３４は、本実施形態の揚送装置１２５の、螺旋部２１が遊技球で満たされている状態の正面から見た断面図である。又、図３５は、この状態における揚送装置１２５底部の上面図である。
【００５２】
上述の第８段階以降も、駆動モータ４の駆動力によってスクリュー２が旋廻を続けると、図３４のように、スクリュー２の螺旋部２１は、下端から上端まで遊技球で満たされる。スクリュー２の旋廻に伴って、それぞれの遊技球は、矢印Ａ１０〜Ａ１２に順に示すようにして揚送される。
【００５３】
そして、矢印Ａ１３で示されるように、スクリュー２の旋廻に伴って、遊技球押出し部２４の旋廻により押し出されるようにして、遊技球は、遊技球排出口３６から揚送装置１２５外へ排出される。なお、図３５は、図３４の状態における揚送装置１２５底部の上面図となっている。
【００５４】
以上に説明したように、本実施形態では、揚送呼込み経路３３における略３０°の下り傾斜を転がせて揚送呼込み部２８へ導かれた遊技球５０を、まず、第１揚送経路３４に沿って、垂直より略３０°傾いた方向に上昇させるので、後続球５１、５２……の重みによる球圧の影響を受けることがない。又、第１揚送経路３４を上昇した後には、遊技球５０は第２揚送経路３５を垂直に上昇するので、能率よく、又確実に揚送することができる。又、このために、揚送装置１２５の揚送動作を行なわせる、駆動モータ４の駆動力を増加させる必要もない。なお、本実施形態において、揚送呼込み経路３３は、Ｆカバー１正面に対して、略４５°の角度でスクリュー２の軸心方向に向かい、且つスクリュー２の下端部に向けて略３０°の下り傾斜を持って形成されているが、このようなものに限定されるものではなく、その他の角度で形成されたものであってもかまわない。
【図面の簡単な説明】
【００５５】
【図１】本発明が適用された実施形態の遊技機の正面図
【図２】上記遊技機の本体枠の裏面図
【図３】前記実施形態に用いる揚送装置の外観を示す斜視図
【図４】上記揚送装置の分解構成図
【図５】前記揚送装置に用いるスクリューの側面図
【図６】上記図５に示される状態から（１／４）回転させた、該スクリューの側面図
【図７】第１比較例の揚送装置における、揚送する遊技球の呼込み部周辺の側面図
【図８】前記実施形態の揚送装置における、揚送する遊技球の呼込み部周辺の側面図
【図９】第２比較例の揚送装置における、揚送する遊技球の呼込み部周辺の側面図
【図１０】前記実施形態の動作の第１段階における揚送装置の底部の上面図
【図１１】上記段階における揚送装置の底部の斜視図
【図１２】上記段階における揚送装置の正面から見た断面図
【図１３】前記実施形態の動作の第２段階における揚送装置の底部の上面図
【図１４】上記段階における揚送装置の底部の斜視図
【図１５】上記段階における揚送装置の正面から見た断面図
【図１６】前記実施形態の動作の第３段階における揚送装置の底部の上面図
【図１７】上記段階における揚送装置の底部の斜視図
【図１８】上記段階における揚送装置の正面から見た断面図
【図１９】前記実施形態の動作の第４段階における揚送装置の底部の上面図
【図２０】上記段階における揚送装置の底部の斜視図
【図２１】上記段階における揚送装置の正面から見た断面図
【図２２】前記実施形態の動作の第５段階における揚送装置の底部の上面図
【図２３】上記段階における揚送装置の底部の斜視図
【図２４】上記段階における揚送装置の正面から見た断面図
【図２５】前記実施形態の動作の第６段階における揚送装置の底部の上面図
【図２６】上記段階における揚送装置の底部の斜視図
【図２７】上記段階における揚送装置の正面から見た断面図
【図２８】前記実施形態の動作の第７段階における揚送装置の底部の上面図
【図２９】上記段階における揚送装置の底部の斜視図
【図３０】上記段階における揚送装置の正面から見た断面図
【図３１】前記実施形態の動作の第８段階における揚送装置の底部の上面図
【図３２】上記段階における揚送装置の底部の斜視図
【図３３】上記段階における揚送装置の正面から見た断面図
【図３４】前記実施形態の揚送装置の、螺旋部が遊技球で満たされている状態の正面から見た断面図
【図３５】上記状態における揚送装置の底部の上面図
【符号の説明】
【００５６】
１…Ｆカバー
２…スクリュー
３…Ｒカバー
４…駆動モータ
５…モーターカバー
６…従動ギヤ
７…中間ギヤ
８…駆動ギヤ
９…ベアリング
１０…ベアリング
１１…中継基板
１２…中継基板ケース
１３…固定手段
２１…螺旋部
２２…揚送呼込み部壁面
２３…螺旋外周円筒面
２４…遊技球押出し部
２５…螺旋開始部
２８…揚送呼込み部
２９…中心軸
５０…遊技球
５１、５２………後続球
３１…遊技球入り口
３２…遊技球停留部
３３…揚送呼込み経路
３４…第１揚送経路
３５…第２揚送経路（揚送経路）
３６…遊技球排出口
１００…遊技機
１１０…受け皿
１１２ａ、１１２ｂ、１１２ｃ…リール
１１４…ベットボタン
１１６…スタートレバー
１１８ａ、１１８ｂ、１１８ｃ…停止スイッチ
１２２…遊技球供給経路
１２３…入口遊技球センサ
１２５…揚送装置
１２７…遊技球取込み経路
１２８…取込経路遊技球センサ
１３０…取込機構装置
１３３…球タンク
１３４…賞球経路
１３５…賞球装置
１４０…リール装置
【図１】
2009022664.tif 000003
【図２】
2009022664.tif 000004
【図３】
2009022664.tif 000005
【図４】
2009022664.tif 000006
【図５】
2009022664.tif 000007
【図６】
2009022664.tif 000008
【図７】
2009022664.tif 000009
【図８】
2009022664.tif 000010
【図９】
2009022664.tif 000011
【図１０】
2009022664.tif 000012
【図１１】
2009022664.tif 000013
【図１２】
2009022664.tif 000014
【図１３】
2009022664.tif 000015
【図１４】
2009022664.tif 000016
【図１５】
2009022664.tif 000017
【図１６】
2009022664.tif 000018
【図１７】
2009022664.tif 000019
【図１８】
2009022664.tif 000020
【図１９】
2009022664.tif 000021
【図２０】
2009022664.tif 000022
【図２１】
2009022664.tif 000023
【図２２】
2009022664.tif 000024
【図２３】
2009022664.tif 000025
【図２４】
2009022664.tif 000026
【図２５】
2009022664.tif 000027
【図２６】
2009022664.tif 000028
【図２７】
2009022664.tif 000029
【図２８】
2009022664.tif 000030
【図２９】
2009022664.tif 000031
【図３０】
2009022664.tif 000032
【図３１】
2009022664.tif 000033
【図３２】
2009022664.tif 000034
【図３３】
2009022664.tif 000035
【図３４】
2009022664.tif 000036
【図３５】
2009022664.tif 000037